【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
二次電池（１０）と、
該二次電池の端子電圧を検出する電圧検出部（１１）と、
上記電圧検出部が検出した端子電圧に基づいて上記二次電池の充電状態（ＳＯＣ）を算出する充電状態算出部（１３）と、
上記二次電池に流れた電流を検出する電流検出部（１２）と、
上記二次電池の充放電を制御する充放電制御部（２０）と、
上記電圧検出部が第１検出タイミング（ｔ２）で検出した第１端子電圧（ＯＣＶ１）に基づいて算出された第１充電状態（ＳＯＣ１）と、上記電圧検出部が第２検出タイミング（ｔ７）で検出した第２端子電圧（ＯＣＶ２）に基づいて算出された第２充電状態（ＳＯＣ２）との差分充電状態（ΔＳＯＣ）を算出する差分充電状態算出部（１５）と、
上記第１検出タイミングから上記第２検出タイミングまでの対象期間において、上記電流検出部で検出された電流の積算量（∫Ｉｄｔ）を算出する積算電流量算出部（１４）と、
上記差分充電状態算出部により算出された差分充電状態と、上記積算電流量算出部により算出された積算電流量とに基づいて、上記二次電池の満充電容量を算出する満充電容量算出部（１６）と、
を備え、
上記充放電制御部は、上記対象期間において上記二次電池における充電及び放電のいずれか一方を規制するように構成されており、
上記差分充電状態が所定の必要差分充電状態以上となるときを上記第２検出タイミングとするとともに、上記充放電制御部は上記第１充電状態と上記必要差分充電状態とに基づいて、上記充電及び上記放電のいずれを規制するかを決定するように構成されている、電池パック（１）。
【請求項２】
上記充放電制御部は、上記第１充電状態と、上記二次電池の使用が許容される下限の充電状態との差分の絶対値が上記必要差分充電状態以上であるときは、上記二次電池の充電を規制するように構成されている、請求項１に記載の電池パック。
【請求項３】
上記充放電制御部は、上記第１充電状態と、上記二次電池の使用が許容される上限の充電状態との差分の絶対値が上記必要差分充電状態以上であるときは、上記二次電池の放電を規制するように構成されている、請求項１に記載の電池パック。
【請求項４】
上記第１検出タイミング及び上記第２検出タイミングの少なくとも一方において、上記二次電池は無負荷の状態であって、かつ、上記二次電池の分極が解消している状態となるように構成されている、請求項１〜３のいずれか一項に記載の電池パック。
【請求項５】
上記充放電制御部は、上記第２検出タイミングにおいて上記規制が解除されている状態にするように構成されている、請求項１〜４のいずれか一項に記載の電池パック。
【請求項６】
上記電流検出部が上記電流を検出した積算時間を算出する積算時間算出部（１８）を有し、
該積算時間算出部が算出した上記積算時間が所定値以上であるとき、上記電圧検出部に異常があると判定されたとき、及び上記電流検出部に異常があると判定されたときの少なくともいずれか一つに該当するときは、上記充放電制御部が上記規制をせずに上記満充電算出部が上記満充電容量を算出しないように構成されている、請求項１〜５のいずれか一項に記載の電池パック。
【請求項７】
上記第１検出タイミングが特定タイミングに該当するとき、上記充放電制御部は上記規制をするとともに、上記満充電算出部が上記満充電容量を算出し、
上記第１検出タイミングが上記特定タイミングに該当しないとき、上記充放電制御部が上記規制をしないとともに上記満充電算出部は上記満充電容量を算出しないように構成されている、請求項１〜６のいずれか一項に記載の電池パック。
【請求項８】
請求項１〜７のいずれか一項に記載の上記電池パックと、該電池パックに電気的に接続されるとともに上記電池パックに入力される電力を発生可能な電力発生部と、上記電池パックに電気的に接続されるとともに、上記電池パックから出力される電力を消費可能な電気負荷と、を有する電源システム（１００）。
【手続補正２】
【補正対象書類名】明細書
【補正対象項目名】０００６
【補正方法】変更
【補正の内容】
【０００６】
本発明の一態様は、二次電池（１０）と、
該二次電池の端子電圧を検出する電圧検出部（１１）と、
上記電圧検出部が検出した端子電圧に基づいて上記二次電池の充電状態（ＳＯＣ）を算出する充電状態算出部（１３）と、
上記二次電池に流れた電流を検出する電流検出部（１２）と、
上記二次電池の充放電を制御する充放電制御部（２０）と、
上記電圧検出部が第１検出タイミング（ｔ２）で検出した第１端子電圧（ＯＣＶ１）に基づいて算出された第１充電状態（ＳＯＣ１）と、上記電圧検出部が第２検出タイミング（ｔ７）で検出した第２端子電圧（ＯＣＶ２）に基づいて算出された第２充電状態（ＳＯＣ２）との差分充電状態（ΔＳＯＣ）を算出する差分充電状態算出部（１５）と、
上記第１検出タイミングから上記第２検出タイミングまでの対象期間において、上記電流検出部で検出された電流の積算量（∫Ｉｄｔ）を算出する積算電流量算出部（１４）と、
上記差分充電状態算出部により算出された差分充電状態と、上記積算電流量算出部により算出された積算電流量とに基づいて、上記二次電池の満充電容量を算出する満充電容量算出部（１６）と、
を備え、
上記充放電制御部は、上記対象期間において上記二次電池における充電及び放電のいずれか一方を規制するように構成されており、
上記差分充電状態が所定の必要差分充電状態以上となるときを上記第２検出タイミングとするとともに、上記充放電制御部は上記第１充電状態と上記必要差分充電状態とに基づいて、上記充電及び上記放電のいずれを規制するかを決定するように構成されている、電池パック（１）にある。
【手続補正３】
【補正対象書類名】明細書
【補正対象項目名】００１３
【補正方法】変更
【補正の内容】
【００１３】
積算電流量算出部１４は、第１検出タイミングｔ２から第２検出タイミングｔ７までの対象期間Ｔにおいて、電流検出部１２で検出された電流の積算量∫Ｉｄｔを算出する。
満充電容量算出部１６は、差分充電状態算出部１５により算出された差分充電状態ΔＳＯＣと、積算電流量算出部１４により算出された積算電流量∫Ｉｄｔとに基づいて、二次電池１０の満充電容量を算出する。
そして、充放電制御部２０は、対象期間ｔ２〜ｔ７において、二次電池１０における充電及び放電のいずれか一方を規制するように構成されている。
【手続補正４】
【補正対象書類名】明細書
【補正対象項目名】００３０
【補正方法】変更
【補正の内容】
【００３０】
その後、ステップＳ８において、二次電池１０の充電が開始されたか否かを判定する。本実施形態では、回転機１０１による回生エネルギーが二次電池１０に印加されたか否かを判定する。ステップＳ８において二次電池１０の充電が開始されたと判定した場合、すなわち、図３（ｄ）に示すようにｔ５において、電流検出部１２により二次電池１０に流れる電流が検出された場合には、図２に示すステップＳ９において、積算電流量算出部１４により電流量の積算を開始し、カウンタ１７をスタートさせる。図３（ｄ）では充電が規制される場合の電流を表しており、電流が検出され始めたタイミングをｔ５とする。そして、図３（ｅ）に示すようにｔ５において電流量の積算とカウンタを開始する。
【手続補正５】
【補正対象書類名】明細書
【補正対象項目名】００４５
【補正方法】変更
【補正の内容】
【００４５】
また、本実施形態では、電池パック１と、電池パック１に電気的に接続されるとともに電池パック１に入力される電力を発生可能な電力発生部である回転機１０１と、電池パック１に電気的に接続されるとともに、電池パック１から出力される電力を消費可能な電気負荷１０２とを有する電源システム１００を構成している。かかる構成を有する電源システム１００において、電池パック１の満充電容量を正確に算出することにより、電源システム１００全体においてエネルギーを効率的に利用することができる。さらに、本実施形態では、電源システム１００が車両に搭載されているため、電源システム１００によりエネルギーを効率的に利用することにより、燃費の向上を図ることができる。
【手続補正６】
【補正対象書類名】明細書
【補正対象項目名】００５４
【補正方法】変更
【補正の内容】
【００５４】
また、以下の変形形態４のようにしてもよい。変形形態４では、本実施形態の場合と同様に図２に示すステップＳ１を実施した後、ステップＳ２に進むのに替えて、図９に示すステップＳ２０１に進む。ステップＳ２０１では、第１検出タイミングｔ２が特定タイミングに該当するか否かを判定する。第１検出タイミングｔ２が特定タイミングに該当するときは、図２に示すステップＳ２以降に進み、本実施形態と同様にステップＳ２以降を実施して、満充電容量の算出を行う制御をする。一方、図９に示すように、第１検出タイミングｔ２が特定タイミングに該当しないと判定した場合は、図２に示すステップＳ２１に進み、通常の充放電を開始して、満充電容量を算出する制御を終了する。
【手続補正７】
【補正対象書類名】明細書
【補正対象項目名】００５５
【補正方法】変更
【補正の内容】
【００５５】
変形形態４の制御フローによれば、満充電容量の算出は、第１検出タイミングｔ２が特定タイミングに該当したときに行われ、それ以外の場合には行われないこととなる。その結果、満充電容量の算出を行う機会が必要以上に多くなることを防止して、エネルギーの効率的な利用を図ることができる。
【手続補正８】
【補正対象書類名】明細書
【補正対象項目名】００５８
【補正方法】変更
【補正の内容】
【００５８】
１  電池パック
１０  二次電池
１１  電圧検出部
１２  電流検出部
１３  充電状態算出部
１４  積算電流量算出部
１５  差分充電状態算出部
１６  満充電容量算出部
１８  積算時間算出部
２０  充放電制御部
１００  電源システム
【手続補正９】
【補正対象書類名】図面
【補正対象項目名】図９
【補正方法】変更
【補正の内容】
【図９】
2018112501.tif 000001